(57)【要約】【課題】ファンに付着した空気中に含有される塵埃を脱離させることにより、消費電力や騒音を低減する換気装置を提供する。【解決手段】吸込口３と排出口７間の通風路内のファン２の羽根９と羽根９との空間に対して垂直に屋内側から屋外側へ送風するように構成された局所送風部１０を配置して、局所送風部１０よりファン２の羽根９と羽根９との空間に対して局所的に空気吐出してファン２に付着する空気中に含有される塵埃をファン２から脱離させるように構成した。【選択図】図１
2011058727.tif 000002
【特許請求の範囲】
【請求項１】
室内と室外との空気の入替えを行う天井若しくは壁面に設置される換気装置であって、本体と、空気を吸込むための手段としてのファンと、空気を吸込む吸込口と、吸込口から換気装置内に吸込まれる吸込空気を本体外へ排出する排出口と、排出口と屋外とを連通するダクトと、から構成される換気装置であって、吸込口と排出口間の通風路内のファンの羽根と羽根との空間に対して垂直に屋内側から屋外側へ送風するように構成された局所送風部を配置して、局所送風部よりファンの羽根と羽根との空間に対して局所的に空気吐出してファンに付着する空気中に含有される塵埃をファンから脱離させるように構成したことを特徴とする換気装置。
【請求項２】
局所送風部にファンの羽根に対して並行に移動するように駆動部を具備し、局所送風部からファンの羽根と羽根との空間に対して垂直に屋内側から屋外側へ空気吐出する場所を羽根の端面から他端面へと任意に移動させるように駆動部を制御することを特徴とする請求項１に記載の換気装置。
【請求項３】
局所送風部を通風路内にファンの羽根と羽根との空間に対して垂直に屋内側から屋外側へ送風するように複数個配置して構成したことを特徴とする請求項１に記載の換気装置。
【請求項４】
局所送風部の動作時期を制御することを特徴とする請求項１から３いずれかに記載の換気装置。
【請求項５】
ファンを所定時間停止させて、局所送風部を動作させることを特徴とする請求項１から４いずれかに記載の換気装置。
【請求項６】
本体の通風路内に設けられた通風路内の通風量を測定する風量測定手段と、ファンの停止時間を計測する停止時間計測手段と、記憶手段とを具備し、ファンを停止させる直前の通風量を記憶手段によって記憶し、ファンを停止させて、局所送風部を動作させてファンに付着する塵埃をファンから脱離させた後、再びファンを動作させるときの通風量が前記記憶手段によって記憶した通風量と停止時間計測手段によって計測された停止時間との積に所定時間で到達するように通風量を所定時間増加させるように制御することを特徴とする請求項１から５いずれかに記載の換気装置。
【請求項７】
局所送風部を常時動作させることを特徴とする請求項１から６いずれかに記載の換気装置。
【請求項８】
局所送風部に供給される電圧若しくは周波数を制御して、局所送風部から局所的に空気吐出する空気吐出量を制御することを特徴とする請求項１から７いずれかに記載の換気装置。
【請求項９】
局所送風部にファンの羽根と羽根との空間に対して任意の角度で屋内側から屋外側へと送風するように角度可変部を制御するように構成したことを特徴とする請求項１から８いずれかに記載の換気装置。
【請求項１０】
ファンが回転する回転軸に対して、ファンがどの回転位置に存在するのかを認識する位置検出手段を具備し、ファンを停止させてファンの位置を検出して記憶手段に記憶させた後に、局所送風部を動作させてファンに付着した塵埃を除去し、再びファンを回転させて記憶手段に記憶した位置とは異なる位置にてファンを停止させて再びファンの位置を記憶手段に記憶させて、局所送風部を動作させるという動作を複数回反復するように制御することを特徴とする請求項１から９いずれかに記載の換気装置。
【請求項１１】
通風量が所定の値を継続して下回った場合に、局所送風部を動作させるように制御することを特徴とする請求項１から１０いずれかに記載の換気装置。
【請求項１２】
換気装置の使用時間を積算して、所定の時間経過後に局所送風部を動作させるように構成したことを特徴とする請求項１から１１いずれかに記載の換気装置。
【請求項１３】
局所送風部を動作させた後に、通風量が所定の値を下回った時間を積算して、局所送風部の異常を判別するように制御したことを特徴とする請求項１から１２いずれかに記載の換気装置。
【請求項１４】
局所送風部が動作していることを換気装置の使用者に知らせるお知らせ手段を有することを特徴とする請求項１から１３いずれかに記載の換気装置。
【発明の詳細な説明】
【技術分野】
【０００１】
本発明は、建築物の天井又は側壁に設置し、室内の空気を室外に排出して室内の空気を換気する換気装置に関する。
【背景技術】
【０００２】
近年、建物の機密性が向上し、化学物質を含有する建材の使用やエアコンの普及により、空気の入れ替えを積極的に行わないことから、建物内の空気が汚染される傾向にあり、建築基準法が改正され常時換気可能な設備の設置が義務付けられ、換気装置が普及している（例えば、特許文献１参照）。
【先行技術文献】
【特許文献】
【０００３】
【特許文献１】特開平５−９９４６６号公報
【発明の概要】
【発明が解決しようとする課題】
【０００４】
室内と室外との空気の入替えを行うために用いられる換気装置において、空気中に含有する塵埃が換気装置の空気を吸込むファンに付着し、室内から室外に排出される空気の通風路の障害になってしまし、一定の換気量を満足させるために換気風量の増加が必要となり、多くの電気量が必要になるとともに、風量を増加させるためにファンを高回転にて駆動させるため騒音が発生してしまう。そのため、ファンに付着する空気中の塵埃を除去する換気装置が求められている。
【０００５】
本発明は上述の課題を解決するもので、室内と室外との空気の入れ替えを行うために換気装置において、ファンに付着した空気中に含有される塵埃を脱離させることにより、消費電力や騒音を低減する換気装置を提供することを目的としている。
【課題を解決するための手段】
【０００６】
本発明の換気装置は、上記の目的を達成するために、室内と室外との空気の入替えを行う天井若しくは壁面に設置される換気装置であって、室内と室外との空気の入替えを行う天井若しくは壁面に設置される換気装置であって、本体と、空気を吸込むための手段としてのファンと、空気を吸込む吸込口と、吸込口から換気装置内に吸込まれる吸込空気を本体外へ排出する排出口と、排出口と屋外とを連通するダクトと、から構成される換気装置であって、吸込口と排出口間の通風路内のファンの羽根と羽根との空間に対して垂直に屋内側から屋外側へ送風するように構成された局所送風部を配置して、局所送風部よりファンの羽根と羽根との空間に対して局所的に空気吐出してファンに付着する空気中に含有される塵埃をファンから脱離させるように構成したことを特徴としている。
【０００７】
この手段により、ファンに付着する空気中に含有される塵埃を局所送風部から送風される吐出空気によってファンから除去し、消費電力や騒音を低減可能にする換気装置を提供することができる。
【０００８】
また、本発明の換気装置は、上記の目的を達成するために、局所送風部にファンの羽根に対して並行に移動するように駆動部を具備し、局所送風部からファンの羽根と羽根との空間に対して垂直に屋内側から屋外側へ空気吐出する場所を羽根の端面から他端面へと任意に移動させるように駆動部を制御することを特徴としている。
【０００９】
この手段により、ファンの広範囲に付着する空気中の塵埃を羽根と並行に移動する局所送風部を駆動させて羽根の端面から他方の端面まで移動させて空気吐出し除去することで、換気装置本体の消費電力や騒音を低減可能にする換気装置を提供することができる。
【００１０】
また、本発明の換気装置は、上記の目的を達成するために、局所送風部を通風路内にファンの羽根と羽根との空間に対して垂直に屋内側から屋外側へ送風するように複数個配置して構成したことを特徴としている。
【００１１】
この手段により、ファンの広範囲に付着する空気中の塵埃を、羽根と並行に複数配置した局所送風部により羽根の端面から他方の端面まで広範囲に空気吐出し除去することで、換気装置本体の消費電力や騒音を低減可能にする換気装置を提供することができる。
【００１２】
また、本発明の換気装置は、上記の目的を達成するために、局所送風部の動作時期を制御するように構成したことを特徴としている。
【００１３】
この手段により、ファンが駆動している際に、常時同じ時期にて局所送風部から空気吐出を行うと、あるファンの駆動タイミングと局所送風部とのタイミングが同期した場合に、ある一定の箇所しかファンに付着した塵埃を吐出空気によって除去することができなくなるため、局所送風部の動作時期を制御することによって、効率的にファンに吐出空気を送風し、ファンに付着する空気中の塵埃を除去することにより、換気装置本体の消費電力や騒音を低減可能にする換気装置を提供することができる。
【００１４】
また、本発明の換気装置は、上記の目的を達成するために、ファンを所定時間停止させて、局所送風部を動作させることを特徴としている。
【００１５】
この手段により、ファンを所定時間停止させて、局所送風部より空気吐出することにより、ファンに付着する空気中に含有する塵埃を的確に除去し、換気装置本体の消費電力や騒音を低減可能にする換気装置を提供することができる。
【００１６】
また、本発明の換気装置は、上記の目的を達成するために、本体の通風路内に設けられた通風路内の通風量を測定する風量測定手段と、ファンの停止時間を計測する停止時間計測手段と、記憶手段とを具備し、ファンを停止させる直前の通風量を記憶手段によって記憶し、ファンを停止させて、局所送風部を動作させてファンに付着する塵埃をファンから脱離させた後、再びファンを動作させるときの通風量が前記記憶手段によって記憶した通風量と停止時間計測手段によって計測された停止時間との積に所定時間で到達するように通風量を所定時間増加させるように制御することを特徴としている。
【００１７】
この手段により、ファンを停止することで低減される換気量を補うことができ、的確な換気量を維持する換気装置を提供することができる。
【００１８】
また、本発明の換気装置は、上記の目的を達成するために、局所送風部を常時動作させることを特徴としている。
【００１９】
この手段により、ファンに付着する空気中の塵埃が集結して固まりになる前に、常時局所送風することで除去し、換気装置本体の消費電力や騒音を低減可能にする換気装置を提供することができる。
【００２０】
また、本発明の換気装置は、上記の目的を達成するために、局所送風部に供給される電圧若しくは周波数を制御して、局所送風部から局所的に空気吐出する空気吐出量を制御することを特徴としている。
【００２１】
この手段により、局所送風部から供給される空気吐出量を任意に可変して供給することにより、効率的にファンに付着する塵埃に向けて空気吐出して除去することができるため、換気装置本体の消費電力や騒音を低減可能にする換気装置を提供することができる。
【００２２】
また、本発明の換気装置は、上記の目的を達成するために、局所送風部にファンの羽根と羽根との空間に対して任意の角度で屋内側から屋外側へと送風するように角度可変部を制御するように構成したことを特徴としている。
【００２３】
この手段により、ファンに付着した空気中の塵埃に対して、効率的に局所送風を行い除去することができるため、換気装置本体の消費電力や騒音を低減可能にする換気装置を提供することができる。
【００２４】
また、本発明の換気装置は、上記の目的を達成するために、ファンが回転する回転軸に対して、ファンがどの回転位置に存在するのかを認識する位置検出手段を具備し、ファンを停止させてファンの位置を検出して記憶手段に記憶させた後に、局所送風部を動作させてファンに付着した塵埃を除去し、再びファンを回転させて記憶手段に記憶した位置とは異なる位置にてファンを停止させて再びファンの位置を記憶手段に記憶させて、局所送風部を動作させるという動作を複数回反復するように制御することを特徴としている。
【００２５】
この手段により、ファンの全ての羽根に対して局所送風することにより、ファンに付着する塵埃を除去することができるため、換気装置本体の消費電力や騒音を低減可能にする換気装置を提供することができる。
【００２６】
また、本発明の換気装置は、上記の目的を達成するために、通風量が所定の値を継続して下回った場合に、局所送風部を動作させるように制御することを特徴としている。
【００２７】
この手段により、常時局所送風部を動作させずに、通風量の低下を継続して検知した場合に掃除が必要と判断して、局所送風部を駆動させて、ファンに付着する塵埃を除去することができるため、換気装置本体の消費電力や騒音を低減可能にする換気装置を提供することができる。
【００２８】
また、本発明の換気装置は、上記の目的を達成するために、換気装置の使用時間を積算して、所定の時間経過後に局所送風部を動作させるように構成したことを特徴としている。
【００２９】
この手段により、定期的に局所送風部を動作させて、ファンに付着する塵埃を除供することで、換気装置本体の消費電力や騒音を低減可能にする換気装置を提供することができる。
【００３０】
また、本発明の換気装置は、上記の目的を達成するために、局所送風部を動作させた後に、通風量が所定の値を下回った時間を積算して、局所送風部の異常を判別するように制御したことを特徴としている。
【００３１】
この手段により、局所送風部が正常に動作している場合、通風路の障害となるファンに付着する塵埃を適切に除去するため、風量の低下が抑制されるが、局所送風部が異常の場合、通風路の障害となるファンに付着する塵埃によって通風量の低下が継続して発生するため、局所送風部の異常を認識することができる換気装置を提供することができる。
【００３２】
また、本発明の換気装置は、上記の目的を達成するために、局所送風部が動作していることを換気装置の使用者に知らせるお知らせ手段を有することを特徴としている。
【００３３】
この手段により、換気装置の使用者が局所送風部の挙動を認識可能な換気装置を提供することができる。
【発明の効果】
【００３４】
本発明によれば、室内と室外との空気の入替えを行う天井若しくは壁面に設置される換気装置であって、室内と室外との空気の入替えを行う天井若しくは壁面に設置される換気装置であって、本体と、空気を吸込むための手段としてのファンと、空気を吸込む吸込口と、吸込口から換気装置内に吸込まれる吸込空気を本体外へ排出する排出口と、排出口と屋外とを連通するダクトと、から構成される換気装置であって、吸込口と排出口間の通風路内のファンの羽根と羽根との空間に対して垂直に屋内側から屋外側へ送風するように構成された局所送風部を配置して、局所送風部よりファンの羽根と羽根との空間に対して局所的に空気吐出してファンに付着する空気中に含有される塵埃をファンから脱離させることによって、ファンに付着する空気中に含有される塵埃を局所送風部から送風される吐出空気によってファンから除去し、換気装置本体の消費電力や騒音の低減を可能にする換気装置を提供することができる。
【図面の簡単な説明】
【００３５】
【図１】本発明の実施の形態１の換気装置を示す概略側面構成図
【図２】本発明の実施の形態２の換気装置を示す概略側面構成図
【図３】本発明の実施の形態３の換気装置を示す概略側面構成図
【図４】本発明の実施の形態４の換気装置を示す概略側面構成図
【図５】本発明の実施の形態４の他の換気装置を示す側面構成図
【図６】本発明の実施の形態５の換気装置を示す概略側面構成図
【図７】本発明の実施の形態６の換気装置を示す概略側面構成図
【図８】本発明の実施の形態７の換気装置を示す概略側面構成図
【発明を実施するための形態】
【００３６】
本発明の請求項１記載の換気装置は、室内と室外との空気の入替えを行う天井若しくは壁面に設置される換気装置であって、室内と室外との空気の入替えを行う天井若しくは壁面に設置される換気装置であって、本体と、空気を吸込むための手段としてのファンと、空気を吸込む吸込口と、吸込口から換気装置内に吸込まれる吸込空気を本体外へ排出する排出口と、排出口と屋外とを連通するダクトと、から構成される換気装置であって、吸込口と排出口間の通風路内のファンの羽根と羽根との空間に対して垂直に屋内側から屋外側へ送風するように構成された局所送風部を配置して、局所送風部よりファンの羽根と羽根との空間に対して局所的に空気吐出してファンに付着する空気中に含有される塵埃をファンから脱離させるように構成した換気装置であって、ファンに付着する空気中に含有される塵埃を局所送風部から送風される吐出空気によってファンから除去し、換気装置本体の消費電力や騒音を低減するという作用を有する。
【００３７】
本発明の請求項２記載の換気装置は、局所送風部にファンの羽根に対して並行に移動するように駆動部を具備し、局所送風部からファンの羽根と羽根との空間に対して垂直に屋内側から屋外側へ空気吐出する場所を羽根の端面から他端面へと任意に移動させるように駆動部を制御することを特徴とする換気装置であって、ファンの広範囲に付着する空気中の塵埃を羽根と並行に移動する局所送風部を駆動させて羽根の端面から他方の端面まで移動させて空気吐出し除去することで、換気装置本体の消費電力や騒音を低減する作用を有する。
【００３８】
本発明の請求項３記載の換気装置は、局所送風部を通風路内にファンの羽根と羽根との空間に対して垂直に屋内側から屋外側へ送風するように複数個配置して構成したことを特徴とする換気装置であって、ファンの広範囲に付着する空気中の塵埃を羽根と並行に複数配置した局所送風部によって、羽根の端面から他方の端面まで広範囲に空気吐出し除去することで、換気装置本体の消費電力や騒音を低減する作用を有する。
【００３９】
本発明の請求項４記載の換気装置は、局所送風部の動作時期を制御するように構成したことを特徴とする換気装置であって、ファンが駆動している際に、常時同じ時期にて局所送風部から空気吐出を行うと、あるファンの駆動タイミングと局所送風部とのタイミングが同期した場合に、ある一定の箇所しかファンに付着した塵埃を吐出空気によって除去することができなくなるため、局所送風部の動作時期を制御することによって、効率的にファンに吐出空気を送風し、ファンに付着する空気中の塵埃を除去することにより、換気装置本体の消費電力や騒音を低減するという作用を有する。
【００４０】
本発明の請求項５記載の換気装置は、ファンを所定時間停止させて、局所送風部を動作させることを特徴とする換気装置であって、ファンを所定時間停止させて、局所送風部より空気吐出することにより、ファンに付着する空気中に含有する塵埃を的確に除去し、換気装置本体の消費電力や騒音を低減するという作用を有する。
【００４１】
本発明の請求項６記載の換気装置は、本体の通風路内に設けられた通風路内の通風量を測定する風量測定手段と、ファンの停止時間を計測する停止時間計測手段と、記憶手段とを具備し、ファンを停止させる直前の通風量を記憶手段によって記憶し、ファンを停止させて、局所送風部を動作させてファンに付着する塵埃をファンから脱離させた後、再びファンを動作させるときの通風量が前記記憶手段によって記憶した通風量と停止時間計測手段によって計測された停止時間との積に所定時間で到達するように通風量を所定時間増加させるように制御することを特徴とする換気装置であって、ファンを停止することで低減される換気量を補うことができ、的確な換気量を維持するという作用を有する。
【００４２】
本発明の請求項７記載の換気装置は、局所送風部を常時動作させることを特徴とする換気装置であって、ファンに付着する空気中の塵埃が集結して固まりになる前に、常時局所送風することで除去し、換気装置本体の消費電力や騒音を低減する作用を有する。
【００４３】
本発明の請求項８記載の換気装置は、局所送風部に供給される電圧若しくは周波数を制御して、局所送風部から局所的に空気吐出する空気吐出量を制御することを特徴とする換気装置であって、局所送風部から供給される空気吐出量を任意に可変して供給することにより、効率的にファンに付着する塵埃に向けて空気吐出して除去することができるため、換気装置本体の消費電力や騒音を低減する作用を有する。
【００４４】
本発明の請求項９記載の換気装置は、局所送風部にファンの羽根と羽根との空間に対して任意の角度で屋内側から屋外側へと送風するように角度可変部を制御するように構成したことを特徴とする換気装置であって、ファンに付着した空気中の塵埃に対して、効率的に局所送風を行い除去することができるため、換気装置本体の消費電力や騒音を低減する作用を有する。
【００４５】
本発明の請求項１０記載の換気装置は、ファンが回転する回転軸に対して、ファンがどの回転位置に存在するのかを認識する位置検出手段を具備し、ファンを停止させてファンの位置を検出して記憶手段に記憶させた後に、局所送風部を動作させてファンに付着した塵埃を除去し、再びファンを回転させて記憶手段に記憶した位置とは異なる位置にてファンを停止させて再びファンの位置を記憶手段に記憶させて、局所送風部を動作させるという動作を複数回反復するように制御することを特徴とする換気装置であって、ファンの全ての羽根に対して局所送風することにより、ファンに付着する塵埃を除去することができるため、換気装置本体の消費電力や騒音を低減する作用を有する。
【００４６】
本発明の請求項１１記載の換気装置は、通風量が所定の値を継続して下回った場合に、局所送風部を動作させるように制御することを特徴とする換気装置であって、常時局所送風部を動作させずに、通風量の低下を継続して検知した場合に掃除が必要と判断して、局所送風部を駆動させて、ファンに付着する塵埃を除去することができるため、換気装置本体の消費電力や騒音を低減する作用を有する。
【００４７】
本発明の請求項１２記載の換気装置は、換気装置の使用時間を積算して、所定の時間経過後に局所送風部を動作させるように構成したことを特徴とする換気装置であって、定期的に局所送風部を動作させて、ファンに付着する塵埃を除供することで、換気装置本体の消費電力や騒音を低減する作用を有する。
【００４８】
本発明の請求項１３記載の換気装置は、局所送風部を動作させた後に、通風量が所定の値を下回った時間を積算して、局所送風部の異常を判別するように制御したことを特徴とする換気装置であって、局所送風部が正常に動作している場合、通風路の障害となるファンに付着する塵埃を適切に除去するため、風量の低下が抑制されるが、局所送風部が異常の場合、通風路の障害となるファンに付着する塵埃によって通風量の低下が継続して発生するため、局所送風部の異常を認識することができる作用を有する。
【００４９】
本発明の請求項１４記載の換気装置は、局所送風部が動作していることを換気装置の使用者に知らせるお知らせ手段を有することを特徴とする換気装置であって、換気装置の使用者が局所送風部の挙動を知ることができるという作用を有する。
【００５０】
以下、本発明の実施の形態について図面を参照しながら説明する。
【００５１】
（実施の形態１）
図１および２は本発明の実施の形態における換気装置の構成を示す図である。図１は、本発明の換気装置の１つの実施形態を示す概略構成図（側面）であり、図２は概略構成図（側面）である。
【００５２】
図１において、換気装置本体１は空気を吸込むための手段としてのファン２（例えば、多翼ファン）と、ファンを駆動するモーター１１（例えば、ＤＣモーター若しくはＡＣモーター）と、空気を吸込む吸込口３とこの吸込口３に設けられた換気装置本体１の外郭で室内に露出するルーバー４と、吸込口３から換気装置本体１内に吸込まれる吸込空気５を本体より通風路６を通して本体外へ排出する排出口７と排出口と屋外とを連通するダクト８と、吸込口３と排出口７間の通風路６内のファン２の羽根９と羽根９との空間に対して垂直に屋内側から屋外側へ送風するように構成された局所送風部１０と、換気装置本体１を制御するマイコンを有する制御部１２と、から構成される。
【００５３】
ファン２によって、換気装置本体１内に吸込まれた吸込空気５に含有される塵埃（図示せず）がファン２に付着することにより、通風路６の障害となるため、一定の換気量を満足させるためには、モーター１１に供給する電力を増加させてファン２の回転数を増加させて換気風量を増加させる必要があるとともに、ファン２の回転数の増加により発生する騒音が発生するが、通風路６内に設けられた局所送風部１０（例えば、圧電素子を用いた小型送風機）からファン２の羽根９と羽根９との空間に対して局所的に空気吐出して、ファン２に付着する空気中に含有される塵埃をファン２から脱離させて、脱離した塵埃は通風路６を経由して屋外に排出されるので、換気装置本体の消費電力と騒音を低減可能な換気装置を提供することができる。
【００５４】
また、実施の形態１の換気装置は、局所送風部１０を動作させる動作時期を制御部１２によって制御するようにしている。ファン２がモーター１１によって駆動している際に、常時同じ時期にて局所送風部１０から空気吐出を行うと、ファン２の駆動タイミングと局所送風部１０とのタイミングが同期した場合に、特定の一定の箇所しかファン２に付着した塵埃を吐出空気によって除去することができなくなるため、局所送風部１０の動作時期を制御部１２によって制御することによって、効率的にファン２に吐出空気を送風し、ファンに付着する空気中の塵埃を除去することができる。
【００５５】
また、実施の形態１の換気装置は、ファン２を所定時間停止させて局所送風部１０を動作させるように構成している。この構成によれば、ファン２を所定時間停止させて、局所送風部１０より空気吐出することにより、ファン２が回転駆動していないため、ファン２に固着した吸込空気に含有する塵埃に対して吐出空気を適切に供給して、塵埃を除去できる。
【００５６】
また、実施の形態１の換気装置は、局所送風部１０を常時動作させるように制御部１２によって、制御している。この構成によれば、ファン２に付着しようとする吸込空気５に含有される塵埃がファン２に付着する前に局所送風部１０から空気吐出しすることで、塵埃の付着を抑制することができ、また塵埃が絡み合って固まりになる前にファン２から脱離させることができるため、ファン２の掃除をする必要がなく、換気装置本体の消費電力と騒音を低減可能な換気装置を提供することができる。
【００５７】
また、実施の形態１の換気装置は、局所送風部１０に供給される電圧若しくは周波数を制御部１２により制御するように構成している。局所送風部１０に用いられている圧電素子は、電圧若しくは周波数を制御部１２によって制御して可変することにより、局所送風部１０から供給される吐出空気量を制御することができる。
【００５８】
この構成によれば、局所送風部１０から局所的に空気吐出する空気吐出量を制御して、ファン２に付着した塵埃を的確に除去することができる。
【００５９】
なお、本実施の形態では、局所送風部１０に圧電素子を用いた送風機を用いたが、換気装置の通風路６内に収まり通風路の障害とならないような大きさで、ファン２の羽根９と羽根９との空間に局所的に空気吐出できるような送風機であれば、どのような送風機でもよく、局所送風部１０からファン２に空気吐出することで、ファン２に付着する塵埃を除去することができる。
【００６０】
また、実施の形態１の換気装置は、換気装置本体１の使用時間を積算して、所定の時間経過後に局所送風部１０を動作させるように構成している。
【００６１】
この構成によれば、換気装置本体１の使用時間を制御部１２に内蔵された記憶手段（例えば、メモリ）に記憶させて、所定の時間が経過（例えば、２４時間）した際に、局所送風部１０を動作させる。従って、換気装置本体１を継続して使用した際に付着するファン２への塵埃を自動的に清掃することができる。
【００６２】
従って、本実施の形態により、ファン２に付着する吸込空気５に含有される塵埃を局所送風部１０によって適切に除去し、換気装置本体の消費電力や騒音の低減を可能にする換気装置を提供することができる。
【００６３】
（実施の形態２）
以下、本発明の実施の形態２について図２を参照しながら説明する。実施の形態１と同一部分は同一番号を附し、詳細な説明を省略する。
【００６４】
図２に示すように、局所送風部が動作していることを換気装置の使用者に知らせるお知らせ手段として表示部１３（例えば、ＬＥＤ）を具備し、局所送風部１０が動作するときは、制御部１２より表示部１３に制御信号を伝達して、表示部１３を点灯若しくは点滅するように構成している。
【００６５】
上記構成により、換気装置の使用者は局所送風部１０が動作しているのかどうかを知ることができる換気装置を提供することができる。
【００６６】
（実施の形態３）
以下、本発明の実施の形態３について図３を参照しながら説明する。実施の形態１から２と同一部分は同一番号を附し、詳細な説明を省略する。
【００６７】
図３に示すように、局所送風部１０にファン２の羽根９に対して並行に移動するように駆動部１４（例えば、ステッピングモーター）を具備し、制御部１２により駆動部１４を制御イメージ１５に示すように信号を送信して駆動させ、局所送風部１０を移動するように構成している。
【００６８】
上記の構成により、局所送風部１０からファン２の羽根９と羽根９との空間に対して移動イメージ１６に示すように垂直に屋内側から屋外側へ空気吐出する場所を羽根９の端面から他端面へと任意に移動させるように駆動部１４を制御部１２から制御して移動させることによって、ファン２の羽根９に広範囲に付着する空気中の塵埃を局所送風部１０から空気吐出し除去することで、換気装置本体の消費電力や騒音を低減することができる。
【００６９】
（実施の形態４）
以下、本発明の実施の形態４について図４を参照しながら説明する。実施の形態１から３と同一部分は同一番号を附し、詳細な説明を省略する。
【００７０】
図４に示すように、局所送風部１０を通風路６内にファン２の羽根９と羽根９との空間に対して垂直に屋内側から屋外側へ送風するように複数配置し、制御部１２によって、それぞれ独立してどうさするように構成している。
【００７１】
上記の構成により、ファン２の広範囲に付着する空気中の塵埃を、羽根９と並行に複数配置した局所送風部１０により羽根９の端面から他方の端面まで広範囲に空気吐出し除去することで、換気装置本体の消費電力や騒音を低減することができる。
【００７２】
また、制御部１２によって局所送風部１０をそれぞれ独立して駆動させることにより、塵埃が付着しやすい箇所（例えば、吸込口３近傍）の局所送風部Ａ１７は常時送風させて塵埃を除去し、塵埃の付着しにくい箇所（例えば、吸込口３遠方）の局所送風部Ｂ１８は、動作時期を間欠にして、消費電力を低減するように構成している。
【００７３】
なお、本実施の形態では、局所送風部１０を複数個設けて、ファン２の羽根９の端面から他端面へ広範囲に空気吐出するように構成したが、羽根９の端面から他端面へ広範囲に吐出空気を送風できるように構成すれば、どのように構成してもよい。図５に示すように、局所送風部１０はひとつで、局所送風部１０の空気吐出部１９を複数設けることで、ファン２の羽根９の端面から他端面へ広範囲に吐出空気を送風して、ファン２に付着する塵埃を除去することで、換気装置本体の消費電力や騒音を低減することができる。
【００７４】
（実施の形態５）
以下、本発明の実施の形態５について図６を参照しながら説明する。実施の形態１から４と同一部分は同一番号を附し、詳細な説明を省略する。
【００７５】
図６に示すように、局所送風部１０にファン２の羽根９と羽根９との空間に対して任意の角度で屋内側から屋外側へと送風するように角度可変部２０（例えば、ステッピングモータ）を制御部１２により制御するように構成している。
【００７６】
上記の構成によれば、ファン２に付着した空気中の塵埃に対して、付着した塵埃がファン２から脱離されやすい角度から局所送風部１０から空気吐出することにより、効率的に局所送風を行い、塵埃を除去することができる。
【００７７】
（実施の形態６）
以下、本発明の実施の形態６について図７を参照しながら説明する。実施の形態１から５と同一部分は同一番号を附し、詳細な説明を省略する。
【００７８】
図７に示すように、通風路６内の通風量を測定する風量測定手段としての風量測定部２１（例えば、微差圧センサ）を具備して構成している。
【００７９】
上記構成によれば、ファン２を停止させる直前の通風量を風量測定部２１によって制御部１２に設けられた記憶手段（例えば、不揮発性メモリ）によって記憶し、その後ファン２を停止させて局所送風部１０を制御部１２によって制御して動作させ、ファン２に付着する塵埃を脱離させた後、再びファン２を動作させるときの通風量が記憶手段によって記憶した通風量と停止時間計測手段によって計測された停止時間との積に所定時間（例えば、１０分）で到達するように通風量を所定時間（例えば、１０分）増加させるように制御することにより、ファンを停止することで低減される換気量を補うことができ、的確な換気量を維持することができる。
【００８０】
また、実施の形態６の換気装置は、風量測定部２１によって測定された通風量によって、通風量が所定の値（例えば、８０ｍ３／ｈ）を継続して下回った場合に、局所送風部を動作させるように制御しているので、常時局所送風部１０を動作させずに、通風量が継続して低下していることを検知した場合に、ファン２に付着した塵埃の除去が必要と判断して、局所送風部１０を動作させて、ファン２に付着する塵埃を除去することができる。
【００８１】
さらに、実施の形態６の換気装置は、局所送風部１０を動作させた後に、通風量が所定の値（例えば、８０ｍ３／ｈ）を下回った時間を積算して記憶手段によって記憶し、局所送風部１０の異常を判別するように制御しているので、局所送風部１０が正常に動作している場合、通風路の障害となるファン２に付着する塵埃を適切に除去するため、風量の低下が抑制されるが、局所送風部１０が異常の場合、通風路６の障害となるファン２に付着する塵埃によって通風量の低下が継続（例えば、２４０時間）発生するため、局所送風部１０の異常を認識して、局所送風部１０の動作を停止させ、制御部１２から表示部１３に点灯若しくは点滅信号を出力して、換気装置の使用者に局所送風部１０の異常を認識させることができる。
【００８２】
（実施の形態７）
以下、本発明の実施の形態７について図８を参照しながら説明する。実施の形態１から６と同一部分は同一番号を附し、詳細な説明を省略する。
【００８３】
図８に示すように、ファン２が回転する回転軸に対して、ファン２がどの回転位置に存在するのかを認識する位置検出手段として、モーター１１によってファン２と同時に回転する位置情報を認識できるように任意のパターンで加工された円盤状のディスク２２ａとディスク２２ａを挟むように設けられた発光部２３（例えば、赤外発光ダイオード）と受光部２４（例えば、フォトＩＣ）とから構成される位置検出部２２を具備して構成している。
【００８４】
上記構成によれば、ファン２を停止させて、位置検出部２２の発光部２３を発光させてディスク２２ａにて遮蔽された光以外が受光部２４に透過され、ファン２の回転角度を検出して、記憶手段に記憶させた後に、局所送風部１０を動作させてファン２に付着した塵埃を除去し、再びファン２を回転させて記憶手段に記憶した位置とは異なる位置にてファン２を停止させて再び位置検出部２２を駆動させてファン２の位置を検出し、記憶手段に記憶させて、局所送風部１０を動作させるという動作を複数回反復するように制御部１２によって、モーター１１を駆動するように制御して、換気装置本体の消費電力と騒音を低減することができる。
【産業上の利用可能性】
【００８５】
建築物の天井又は側壁に設置し、室内の空気を室外に排出して室内の空気を換気する換気装置に関するもので、小型の換気装置のほか、工場や施設等で用いられる大型の換気システムにも適用できる。
【符号の説明】
【００８６】
１      換気装置本体
２      ファン
３      吸込口
４      ルーバー
５      吸込空気
６      通風路
７      排出口
８      ダクト
９      羽根
１０    局所送風部
１１    モーター
１２    制御部
１３    表示部
１４    駆動部
１５    制御イメージ
１６    移動イメージ
１７    局所送風部Ａ
１８    局所送風部Ｂ
１９    空気吐出部
２０    角度可変部
２１    風量測定部
２２    位置検出部
２２ａ  ディスク
２３    発光部
２４    受光部
【図１】
2011058727.tif 000003
【図２】
2011058727.tif 000004
【図３】
2011058727.tif 000005
【図４】
2011058727.tif 000006
【図５】
2011058727.tif 000007
【図６】
2011058727.tif 000008
【図７】
2011058727.tif 000009
【図８】
2011058727.tif 000010